(57)【要約】【課題】  鞄類のファスナーロック装置において、鞄類の外観にロック機構を露出することなく、ファスナーのスライダーをロック／アンロックする機能を持たせ、デザイン性及び利便性を上げる。【解決手段】  鞄類２の開口に設けられたファスナー３のスライダー４をロック／アンロックする鞄類のファスナーロック装置であって、スライダーの裏面側に設けられた突起４１と、ファスナーの閉じ方向前方の鞄類の裏面側に取付けられ、突起を受け入れてスライダーをロックするロックユニット５と、を備え、ロックユニットは、突起と係止してスライダーをロックするロック機構５１と、ロック機構を動作させる駆動部５２と、鞄類の外からのワイヤレス信号を受信して駆動部の動作を制御する電子回路５３と、を備えている。【選択図】  図３
2018178415.tif 000002
【特許請求の範囲】
【請求項１】
鞄類の開口に設けられたファスナーのスライダーをロック／アンロックする鞄類のファスナーロック装置において、
前記スライダーの裏面側に設けられた突起と、
前記ファスナーの閉じ方向前方の鞄類の裏面側に取付けられ、前記突起を受け入れてスライダーをロック／アンロックするロックユニットと、を備え、
前記ロックユニットは、
前記突起と係止してスライダーをロックし、前記突起との係止が外れてスライダーをアンロックするロック機構と、
前記ロック機構を動作させる駆動部と、
鞄類の外からのワイヤレス信号を受信して前記駆動部の動作を制御する電子回路と、
前記駆動部及び電子回路に電源を供給する電源部と、を備えていることを特徴とする鞄類のファスナーロック装置。
【請求項２】
前記電子回路は、鞄類の外にある携帯端末との間でワイヤレス交信する通信モジュールと、この通信モジュールによる交信結果に応じて動作するマイコンと、を備え、
前記マイコンは、前記通信モジュールを介して前記携帯端末から送出されたロック／アンロック信号を受信したとき、前記駆動部を動作させて前記ロック機構を動作させ、また、鞄類と前記携帯端末とが所定距離以上に離れた状態になったと判定したとき、前記駆動部を動作させて前記ロック機構によりスライダーをロックし、又は前記通信モジュールを介して前記携帯端末に警告信号を送出する、ことを特徴とする請求項１に記載の鞄類のファスナーロック装置。
【請求項３】
前記ロックユニットは、スライダーのロック状態において該スライダーに開き方向への応力が加わったことを検知するセンサと、鞄類が異常状態にあることを鞄類の外に報知する報知器とを備え、
前記マイコンは、前記センサの検知信号に基づいて異常状態にあると判定したとき前記報知器を動作させる、ことを特徴とする請求項２に記載の鞄類のファスナーロック装置。
【請求項４】
前記スライダーは、その突起に該スライダーの移動方向に直交する向きの鍵穴を備え、
前記ロック機構は、スライダーのロック時に前記駆動部により駆動されて前記鍵穴に貫通されるロックレバーと、前記ロックレバーを案内するガイドレールと、を備えていることを特徴とする請求項１乃至３のいずれか一項に記載の鞄類のファスナーロック装置。
【発明の詳細な説明】
【技術分野】
【０００１】
本発明は、ファスナーを備えた鞄類に使用され、ファスナーが閉じた状態でそのスライダーをロック／アンロックする鞄類のファスナーロック装置に関する。
【背景技術】
【０００２】
従来の市販の鞄類にあって、開閉部を鍵付きとする場合、錠前やダイヤル式ロックを鞄類の表面側に備えている。しかしながら、そのような構成は、デザイン性を損ない易いことから、デザイン性の高い鞄類には採用されていない。また、錠前又はダイヤル式ロック付き鞄類に財布を入れていると、飲食や買い物をして財布を出し入れするとき、鞄類を解錠する手間と煩わしさがあった。また、鍵を紛失し、又は暗証番号を忘れた場合、鍵を壊さなければならず、そうならないために鍵を使用しなくなることもあった。また、鍵の付いていないショルダーバッグやリュックサック等においては、免許証等の個人情報やビジネス情報、貴重品等の詐取、窃盗の危険性があり、人込みの中で貴重品が抜き取られる窃盗被害を受け易くなる。電車内等では鞄類の置き忘れや置き引きの危険性もある。
【０００３】
中でも、ファスナーを備えた鞄類にあって、ファスナーを閉じた状態でそのスライダーをロックするために、鞄類の表側に設けられた施錠・解錠部材と、それに係合される裏側に設けられた受け部材とを用いる鞄類のファスナー錠が知られている（例えば特許文献１参照）。
【０００４】
また、収納バッグを電気的に施錠する施錠手段と、通信手段により受信した情報が暗証番号と一致する場合に施錠手段を解錠する制御手段とを備えた収納システムが知られている（例えば特許文献２参照）。
【先行技術文献】
【特許文献】
【０００５】
【特許文献１】特開２０００−３２０２１５号公報
【特許文献２】特開平７−２９３０７５号公報
【発明の概要】
【発明が解決しようとする課題】
【０００６】
上記特許文献１に示されるような、施錠・解錠部材と受け部材とを使用する鞄類のファスナー錠においては、ファスナーロックのための部材が鞄類の表側に露出するため、デザイン上の制約があり、デザイン性の高い鞄類への使用は不適当であった。また、上記特許文献２に示されるような収納システムにおいては、ファスナーを備えた鞄類でのデザイン性は何ら考慮されていない。
【０００７】
本発明は、上記課題を解決するものであり、鞄類の外観にロック機構を露出することなく、ファスナーのスライダーをロック／アンロックする機能を持たせ、デザイン性及び利便性の良い、鞄類のファスナーロック装置を提供することを目的とする。
【課題を解決するための手段】
【０００８】
本発明は、鞄類の開口に設けられたファスナーのスライダーをロック／アンロックする鞄類のファスナーロック装置において、
前記スライダーの裏面側に設けられた突起と、
前記ファスナーの閉じ方向前方の鞄類の裏面側に取付けられ、前記突起を受け入れてスライダーをロック／アンロックするロックユニットと、を備え、
前記ロックユニットは、
前記突起と係止してスライダーをロックし、前記突起との係止が外れてスライダーをアンロックするロック機構と、
前記ロック機構を動作させる駆動部と、
鞄類の外からのワイヤレス信号を受信して前記駆動部の動作を制御する電子回路と、
前記駆動部及び電子回路に電源を供給する電源部と、を備えていることを特徴とするものである。
【発明の効果】
【０００９】
本発明によれば、携帯端末等を用いて遠隔操作により、ファスナーのスライダーを鞄類の内側でロック／アンロックすることができ、鞄類の外観にロック機構を露出することがなくなり、デザイン性及び利便性が良くなる。
【図面の簡単な説明】
【００１０】
【図１】本発明の一実施形態に係るファスナーロック装置を備えた鞄類の斜視図。
【図２】上記ファスナーロック装置のブロック構成図。
【図３】上記ファスナーロック装置を鞄類の裏面側から見た、ファスナーのスライダーがロックユニットに受け入れられる前の状態を示す模式図。
【図４】ファスナーのスライダーがロックユニットに受け入れられた後の状態を示す模式図。
【図５】（ａ）はファスナーのスライダーの裏面側から見た斜視図、（ｂ）はスライダーの側面図。
【図６】ファスナーロック装置のロックユニットを鞄類の表面側から見た透視図。
【図７】ダブルスライダーを持つ場合のファスナーロック装置の模式図。
【図８】同上の変形例に係るファスナーロック装置の模式図。
【図９】シングルスライダーを持つ場合のファスナーロック装置のロック機構の例を示す図。
【図１０】ダブルスライダーを持つ場合のファスナーロック装置のロック機構の例を示す図。
【図１１】シングルスライダーを持つ場合のファスナーロック装置のロック機構の他例を示す図。
【図１２】ダブルスライダーを持つ場合のファスナーロック装置のロック機構のさらに他例を示す図。
【図１３】ファスナーロック装置のロック機構のさらに他例を示す図。
【発明を実施するための形態】
【００１１】
以下、本発明の一実施形態に係る鞄類のファスナーロック装置について図１乃至図６を参照して説明する。図１は本実施形態に係る鞄類のファスナーロック装置１を示す。ファスナーロック装置１は、鞄類２の開口に設けられたファスナー３のスライダー４をロック／アンロック（施錠／解錠）するものである。ファスナーロック装置１は、スライダー４の裏面側に設けられた突起４１（図５参照）と、この突起４１をロック／アンロックするロック機構を持つロックユニット５と、を備える。ロックユニット５は、ファスナー３の閉じ方向前方の鞄類２の裏面側に適宜の手段により取付けられ、ファスナー３の突起４１を受け入れてファスナー３をロックする。ロック機構としてのロックユニット５が、鞄類２の外観に露出することがないので、デザイン性及び利便性が良い。ロックユニット５は、鞄類２の外から、例えばスマートホン等の携帯端末６又はパソコンからのワイヤレス信号を受信して動作する。ワイヤレス通信には、例えば、Ｗｉ−Ｆｉ、ブルートゥース（Bluetooth）等の通信手段が用いられる。
【００１２】
鞄類２は、開口部にファスナー３を有した各種の手提げ又はショルダーバッグ、アタッシュケース、リュックサック、スーツケース、収納ケース等を含む。ファスナー３(ジッパーとも言われる)は、テープと、これに固定された噛み合わせエレメントと、その噛み合わせを開閉するスライダー４と、スライダー４をユーザが操作するための摘み４ａを有する。
【００１３】
図２はファスナーロック装置１におけるロックユニット５のブロック構成を示す。ロックユニット５は、スライダー４をロック／アンロックするロック機構５１と、ロック機構５１を動作させる駆動部５２と、鞄類２の外からのワイヤレス信号を受信して駆動部５２の動作を制御する電子回路５３と、駆動部５２及び電子回路５３に電源を供給する電源部であるバッテリ７と、を備えている。ロック機構５１は、スライダー４の突起４１と係止してスライダー４をロックし、突起４１との係止が外れてアンロックする。電子回路５３は、鞄類２の外にある携帯端末６との間でワイヤレス交信する通信モジュール５５と、この通信モジュール５５による交信結果に応じて動作するマイコン５４と、を備える。
【００１４】
マイコン５４は、通信モジュール５５を介して携帯端末６から送出されたロック／アンロック信号を受信したとき、駆動部５２を動作させてロック機構５１を動作させ、ファスナー３すなわちスライダー４をロック／アンロックすることができる。また、マイコン５４は、鞄類２と携帯端末６とが所定距離以上に離れた状態になったと判定したとき、駆動部５２を動作させてロック機構５１によりスライダー４をロックし、又は通信モジュール５５を介して携帯端末６に警告信号を送出する。なお、携帯端末６には、ファスナーロック装置１を利用するためのアプリケーションをネットワーク経由で予めダウンロードしておき、マイコン５４との間で通信するための個別のＩＤアドレス、バスワード等を設定しておく。
【００１５】
ロックユニット５は、本実施形態ではさらに、位置検知のためのＧＰＳモジュール５６と、スライダー検知センサ５７と、異常検知センサ５８と、ブザー等の異常報知器５９とを備える。ＧＰＳモジュール５６は鞄類２の位置を検知するものである。スライダー検知センサ５７は、スライダー４がロックユニット５内の所定位置に挿入されたことを検知する。異常検知センサ５８は、例えば圧力センサで成り、スライダー４のロック状態においてスライダー４に開き方向へ所定以上の応力が加わったことを検知する。異常報知器５９は、鞄類２が異常状態にあることを鞄類の外に報知する。マイコン５４は、各種モジュール５５，５６からの信号や検知センサ５７，５８の検知信号に基づいて、駆動部５２、異常報知器５９等を動作させる。
【００１６】
図３及び図４は、鞄類２の裏面に取付けられたロックユニット５を内側から見た具体構成を示す。図３はファスナー３のスライダー４の突起４１がロックユニット５に受け入れられる前の状態を示し、図４は、ファスナー３のスライダーの突起４１がロックユニット５に受け入れられてロック直前の状態を示す。図５は、スライダー４の構成を示す。スライダー４の突起４１は、スライダー４の移動方向に直交する向きの鍵穴４１ａを備え、また、本実施形態では、スライダー４はその閉じ方向端部に凸部４１ｂを備える。鍵穴４１ａの形状は任意であるが、例えば長さが７ｍｍ、穴直径が３ｍｍ程度とすればよい。凸部４１ｂは、スライダー４がロックユニット５に受け入れられたことを検知させるために設けられている。
【００１７】
ロックユニット５は、例えば樹脂製の外装ケースで成る筐体を有し、鞄類２の裏面であってファスナー３の閉じ方向前方にリベットＲ等により取付けられる。筐体の形状は任意であるが、例えば縦寸法が３０ｍｍ、横寸法が４０ｍｍ、奥行寸法が１０ｍｍ程度である。ロックユニット５の筐体内には、ロック機構５１、駆動部５２、電子回路５３、スライダー検知センサ５７、異常検知センサ５８、及びバッテリ７が内装されている。異常報知器５９は電子回路５３に搭載されればよい。ロック機構５１は、ロックレバー５１ｃと、ロックレバー５１ｃと一体のスライドラック５１ｂと、ロックレバー５１ｃを案内するガイドレール５１ａとを備える。ロックレバー５１ｃは、スチール等で成り、スライダー４のロック時に駆動部５２により駆動されて突起４１の鍵穴４１ａに貫通され、スライダー４をロックする。駆動部５２は例えばモーターであり、その出力軸にピニオンギア５２ｂを備え、ピニオンギア５２ｂはスライドラック５１ｂに螺合しており、ピニオンギア５２ｂの正転・逆転により、スライドラック５１ｂをスライド駆動させる。ガイドレール５１ａは、ロックユニット５の筐体に一体的に設けられた突起や壁状部材により構成されればよい。駆動部５２の回転出力は、減速ギアを介してピニオンギア５２ｂに伝達されることで、駆動部５２は小パワーのもので構わない。
【００１８】
上記のように構成されたファスナーロック装置１の動作を説明する。図３に示すように、ファスナー３のスライダー４の突起４１がロックユニット５に受け入れられていない状態では、ロック機構５１（ロックレバー５１ｃ）は左方に位置してアンロック状態にある。ユーザがファスナー３を閉め、スライダー４の突起４１が閉じ方向（図３の矢印Ａ）に移動され、図４に示すように、ロックユニット５の所定位置に受け入れられると、スライダー検知センサ５７がスライダー４の凸部４１ｂを検知し、これにより、電子回路５３内のマイコン５４は、ロック可能な状態にあることを認識する。この状態で、ユーザが所有する携帯端末６とロックユニット５との間で通信可能な状態にあるとき、ユーザが携帯端末６を操作してロック信号を送出すると、マイコン５４は通信モジュール５５を介して携帯端末６から送出されたロック信号を受信する。すると、マイコン５４は、駆動部５２を動作させ、ピニオンギア５２ｂを図４に示す矢印Ｂ方向に回転させ、ロック機構５１を右方に移動させる。これにより、ロックレバー５１ｃはスライダー４の突起４１の鍵穴４１ａに貫通され、スライダー４すなわちファスナー３はロックされる。
【００１９】
ロックを解除するには、ユーザが、携帯端末６を操作してアンロック信号を送出すると、マイコン５４は、通信モジュール５５を介して携帯端末６から送出されたアンロック信号を受信する。すると、マイコン５４は、駆動部５２を上記とは逆に動作させ、ピニオンギア５２ｂを回転させ、ロック機構５１を左方に移動させる。これにより、ロックレバー５１ｃはスライダー４の突起４１の鍵穴４１ａから抜け出し、スライダー４すなわちファスナー３はアンロック状態になる。
【００２０】
かくして、本実施形態のファスナーロック装置１によれば、ユーザは携帯端末６を用いて遠隔操作により鞄類２のファスナー３のロック／アンロック（施錠／解錠）を、鞄類２の内側に設けたロックユニット５で行うことが可能となる。このことは、鞄類２の外観デザインに全く影響を与えることなく鞄類２にロック機能を付与できることになり、鞄類２の外観デザインの自由度、及び利便性に大きく貢献できる。また、ロックユニット５は鞄類２の内側に設けられことから、強固なロック機能を持つように設計する自由度も大きい。本実施形態のように、ロックレバー５１ｃがファスナー３の開閉移動方向に直交する方向の鍵穴４１ａに貫通する構成においては、小型かつ簡単な構成にてファスナー３を確実にロックすることができる。
【００２１】
また、マイコン５４は、通信モジュール５５を介して鞄類２と携帯端末６との距離を認識しており、鞄類２が携帯端末６から所定距離（例えば、１ｍ乃至３ｍ）以上に離れた状態になったと判定したとき、セキュリティーモードとして、ロック機構５１を自動動作させてスライダー４をロックし、必要に応じて異常報知器５９を作動させ、又は通信モジュール５５を介して携帯端末６に警告信号を送出する。これにより、ユーザが鞄類２を置き忘れ、又は鞄類２が不審者により持ち逃げされることを防止することができる。上記セキュリティーモードの距離は、任意に複数段階に設定可能である。例えば、第１設定の距離で、ユーザの持つ携帯端末６から鞄類２が離れると、自動的に鞄類２のロックが施錠され、さらに第２設定の距離で、鞄類２を置き忘れたり、他人に持ち去られたりして離れると、鞄類２側は警報ブザーが鳴り、盗難等の抑止効果が働き、また、ユーザの携帯端末６に自動通知で知らせることができる。また、鞄類２の紛失、盗難時には、ＧＰＳモジュール５６を用いた追跡機能により、鞄類２の発見、回収が容易に可能となる。
【００２２】
さらにまた、スライダー４のロック状態において、スライダー４に開き方向へ所定以上の応力が加わったとき、ロックレバー５１ｃに応力が掛かるので、異常検知センサ５８がそれを検知する。マイコン５４は異常検知信号を受けると、鞄類２に不正行為が成されている等、異常状態にあると判定し、異常報知器５９を動作させて音声等により警告を発する。このとき、マイコン５４は通信モジュール５５を介して携帯端末６に警告信号、又は電子メールを送出するようにしてもよい。なお、検知した情報は、アプリケーションシステム側に日時、回数を記録するようにもできる。
【００２３】
図６は、鞄類２の表側からロックユニット５を透視して見た、故障時及びバッテリ消耗時のロック解除用隠しボタン８を示す。ロック解除用隠しボタン８は、ロックユニット５の故障時及びバッテリ消耗時に、ロックが掛かったロック機構５１を強制的に解除するために用いられる。ロック解除用隠しボタン８は、保安上、鞄類２の外観から容易には視認し難いが、ユーザはその位置を知ることができるように設けられる。ロック解除用隠しボタン８は、ロックユニット５に設けられ、ボタン先端が鞄類２の生地に当接しており、ユーザが鞄類２の生地の上から千枚通し等の先の尖った細い棒を、例えば１０数ｍｍ押し込むことにより動作させる。ロック解除用隠しボタン８は、図３及び図４に示されるように、ボタンと一体のラック８１と、このラック８１に噛合するギア８２と、このギア８２と一体でスライドラック５１ｂの背面側ラックに噛合する解除用ギア８３とを備える。
【００２４】
ロック解除用隠しボタン８のボタンが押し込まれると、ラック８１がスライド移動し、このラック８１によりギア８２及び解除用ギア８３が回転し、スライドラック５１ｂをアンロック方向に移動させる。それにより、ロック状態にあるロックレバー５１ｃがスライダー４の突起４１の鍵穴４１ａから抜け出てロックを解除できる。かくして、ロック状態での故障時及びバッテリ消耗時にロック解除を的確に行うことができる。なお、ロック解除用隠しボタン８は、これを備えていることが望ましいが、信頼性の高いロックユニット５を具現すれば、省くこともできる。
【００２５】
上記実施形態では、鞄類２のスライダー４がシングルの場合のロック機構５１を説明したが、ロック機構５１は上記形態に限られず各種の変形が可能であり、また、スライダー４がシングルでなく、２個つまりダブルの場合におけるロック機構も各種の変形が可能である。以下、それらにつき説明する。
【００２６】
図７は、ダブルスライダーを持つファスナーロック装置を示す。この場合のロック機構５１は、第１及び第２のスライダー（４）の裏面側に設けられた突起４１，４２の両者をロックするものである。そのために、ロック機構５１は、スライドラック５１ｂに一体に並設された２本のロックレバー５１ｃ，５１ｄを備えている。ロックレバー５１ｃ，５１ｄが、第１及び第２のスライダー４の突起４１，４２の各鍵穴４１ａ，４２ａに夫々貫通されることで、ダブルスライダーをロック状態とする。各突起４１，４２は、凸部４１ｂ，４２ｂを夫々有する。この例では、凸部４１ｂは、突起４１を図示の上下に貫通した孔に摺動自在に差し込まれたロッド４１ｃの先端部である。第２のスライダーが第１のスライダーに対し閉じ方向に押し込まれると、第２のスライダーの突起４２の凸部４２ｂが、第１のスライダーの突起４１に設けられたロッド４１ｃを押し、それにより、凸部４１ｂが突き出される。ダブルスライダーが共に所定の閉じ位置に押し込まれると、凸部４１ｂがスライダー検知センサ５７により検知され、ロック可能な状態になる。その他の構成は、前述と同等である。この例によれば、ダブルスライダーを確実にロックすることができる。
【００２７】
図８は、同上の変形例に係るファスナーロック装置を示す。ダブルスライダーの場合であるが、ロック機構５１は、スライドラック５１ｂに一体に設けられた１本のロックレバー５１ｄのみとされている。このロックレバー５１ｄは、第２のスライダーの突起４２の鍵穴４２ａに貫通されることで、ダブルスライダーをロック状態とする。その他の構成は、上述と同等である。この例によれば、ダブルスライダーでありながら、ロック機構５１を簡単な構成とすることができる。
【００２８】
上述した実施形態でのロック機構５１は、ロックレバー５１ｃがスライダーの突起４１に設けられた横方向の鍵穴４１ａに貫通されるものであったが、この形態に限られることなく、各種の変形が可能である。図９は、シングルスライダーを持つ場合のファスナーロック装置のロック機構の変形例を示す。この例のロック機構５１は、スライダーの突起４１の開き方向端側に係止されてスライダーをロックするロックレバー５１ｃを備える。ロックレバー５１ｃは、スライダーの開閉移動方向と平行に伸びる回転ロッドとその先端に折り曲げられた鍵部とを有する。スライダーの突起４１には、ロックレバー５１ｃのロッドを受け入れる縦方向の鍵穴相当の溝が設けられている。そのロック動作を説明すると、図９の左図に示される状態から、スライダーの突起４１が閉じ方向に移動されると、図９の右図に示されるように、ロックレバー５１ｃのロッドが、スライダーの突起４１の縦方向の溝に嵌まり込み、この状態でロック操作が成されると、駆動部５２によりロックレバー５１ｃのロッドが回転駆動され、鍵部が突起４１を係止する。この変形例によれば、ロック機構５１のロックレバー５１ｃは簡単な構成となる。
【００２９】
図１０は、ダブルスライダーを持つ場合のファスナーロック装置のロック機構の例を示す。この例のロック機構５１は、上記と同等のロックレバー５１ｃを備え、このロックレバー５１ｃが、ダブルスライダーの第２のスライダーの開き方向端側に係止されてダブルスライダーをロックする。図１０の右図に示されるように、ダブルスライダーの突起４１，４２が所定位置に挿入された状態で、ロック操作が成されると、ロックレバー５１ｃが回転し、突起４１，４２を係止する。
【００３０】
図１１は、シングルスライダーの場合のファスナーロック装置のロック機構の他例を示す。この例のロック機構５１は、スライダーの開閉移動方向に直交する方向の回転軸で成るロックレバー５１ｃと、これに固定されたフレーム５１ｅとを備える。ロックレバー５１ｃが駆動部５２によりピニオンギア及び回転ギアを介して回転されることでフレーム５１ｅが回転する。図１１の右図に示されるように、スライダーの突起４１が所定位置に挿入された状態で、ロック操作が成されると、フレーム５１ｅが回転し、突起４１を係止する。
【００３１】
図１２は、ダブルスライダーを持つ場合のファスナーロック装置のロック機構のさらに他例を示す。この例のロック機構５１は、上記と同等の構成のロックレバー５１ｃと、フレーム５１ｅとを備え、フレーム５１ｅがダブルスライダーの第２のスライダーの開き方向端側に係止されてダブルスライダーをロックする。図１２の右図に示されるように、ダブルスライダーの突起４１，４２が所定位置に挿入された状態で、ロック操作が成されると、フレーム５１ｅが回転し、突起４１，４２を係止する。
【００３２】
図１３は、ファスナーロック装置のロック機構のさらに他例を示す。この例のロック機構５１は、駆動部５２の出力で駆動される傘歯車５２ｃと、これに噛合う傘歯車５１ｆと、この傘歯車５１ｆに固定されたロックレバー５１ｃとを備える。傘歯車５１ｆが時計方向に回転されると、ロックレバー５１ｃが鍵穴４１ａに差し込まれ、スライダー４（突起４１）はロックされる。傘歯車５１ｆが反時計方向に回転されると、ロックレバー５１ｃが鍵穴４１ａから抜け出てスライダー４（突起４１）のロックは解除される。
【００３３】
なお、本発明は、上記実施形態の構成に限られず、種々の変形が可能である。例えば、携帯端末６は、本装置専用の端末であってもよく、ロックユニット５は鞄類２に後付けできるものであってもよい。また、駆動部５２は、モーターに限られず、プランジャーのような駆動機構を用いてもよい。また、スライダー検知センサ５７、異常検知センサ５８、異常報知器５９等は、備えていることが望ましいが、必ずしもこれらを備えている必要はない。また、携帯端末６としてスマホを用い、Ｗｉ−Ｆｉ通信でアクセスポイントとインターネットを利用すれば、位置情報は取得できるので、ＧＰＳモジュール５６を用いることなく、同等の作用を得ることができる。また、ユーザが信頼のできる第三者の携帯端末に電子キーを送信し、その電子キーにより解錠できるようにしたり、ワンタイムキーを用いて特定の人のみがロックを解除できるようにすることも可能である。
【符号の説明】
【００３４】
１  ファスナーロック装置
２  鞄類
３  ファスナー
４  スライダー
４１，４２  突起
４１ａ，４２ａ  鍵穴
４１ｂ，４２ｂ  凸部
４１ｃ  ロッド
５  ロックユニット
５１  ロック機構
５１ａ  ガイドレール
５１ｂ  スライドラック
５１ｃ，５１ｄ  ロックレバー
５１ｅ  フレーム
５１ｆ  傘歯車
５２  駆動部
５２ｂ  ピニオンギア
５２ｃ  傘歯車
５３  電子回路
５４  マイコン
５５  通信モジュール
５６  ＧＰＳモジュール
５７  スライダー検知センサ
５８  異常検知センサ
５９  異常報知器
６  携帯端末
７  バッテリ（電源部）
８  ロック解除用隠しボタン
８１  ラック
８２  ギア
８３  解除用ギア
【図１】
2018178415.tif 000003
【図２】
2018178415.tif 000004
【図３】
2018178415.tif 000005
【図４】
2018178415.tif 000006
【図５】
2018178415.tif 000007
【図６】
2018178415.tif 000008
【図７】
2018178415.tif 000009
【図８】
2018178415.tif 000010
【図９】
2018178415.tif 000011
【図１０】
2018178415.tif 000012
【図１１】
2018178415.tif 000013
【図１２】
2018178415.tif 000014
【図１３】
2018178415.tif 000015
【手続補正書】
【提出日】平成29年7月13日(2017.7.13)
【手続補正１】
【補正対象書類名】特許請求の範囲
【補正対象項目名】全文
【補正方法】変更
【補正の内容】
【特許請求の範囲】
【請求項１】
鞄類の開口に設けられたファスナーのスライダーをロック／アンロックする鞄類のファスナーロック装置において、
前記スライダーの裏面側に設けられた突起と、
前記ファスナーの閉じ方向前方の鞄類の裏面側に取付けられ、前記突起を受け入れてスライダーをロック／アンロックするロックユニットと、を備え、
前記ロックユニットは、
前記突起と係止してスライダーをロックし、前記突起との係止が外れてスライダーをアンロックするロック機構と、
前記ロック機構を動作させる駆動部と、
鞄類の外にある携帯端末からのワイヤレス信号を受信して前記駆動部の動作を制御する電子回路と、
前記駆動部及び電子回路に電源を供給する電源部と、を備えていることを特徴とする鞄類のファスナーロック装置。
【請求項２】
前記電子回路は、鞄類の外にある携帯端末との間でワイヤレス交信する通信モジュールと、この通信モジュールによる交信結果に応じて動作するマイコンと、を備え、
前記マイコンは、前記通信モジュールを介して前記携帯端末から送出されたロック／アンロック信号を受信したとき、前記駆動部を動作させて前記ロック機構を動作させ、また、鞄類と前記携帯端末とが所定距離以上に離れた状態になったと判定したとき、前記駆動部を動作させて前記ロック機構によりスライダーをロックし、又は前記通信モジュールを介して前記携帯端末に警告信号を送出する、ことを特徴とする請求項１に記載の鞄類のファスナーロック装置。
【請求項３】
前記ロックユニットは、スライダーのロック状態において該スライダーに開き方向への応力が加わったことを検知するセンサと、鞄類が異常状態にあることを鞄類の外に報知する報知器とを備え、
前記マイコンは、前記センサの検知信号に基づいて異常状態にあると判定したとき前記報知器を動作させる、ことを特徴とする請求項２に記載の鞄類のファスナーロック装置。
【請求項４】
前記スライダーは、その突起に該スライダーの移動方向に直交する向きの鍵穴を備え、
前記ロック機構は、スライダーのロック時に前記駆動部により駆動されて前記鍵穴に貫通されるロックレバーと、前記ロックレバーを案内するガイドレールと、を備えていることを特徴とする請求項１乃至３のいずれか一項に記載の鞄類のファスナーロック装置。
【手続補正２】
【補正対象書類名】明細書
【補正対象項目名】０００８
【補正方法】変更
【補正の内容】
【０００８】
本発明は、鞄類の開口に設けられたファスナーのスライダーをロック／アンロックする鞄類のファスナーロック装置において、
前記スライダーの裏面側に設けられた突起と、
前記ファスナーの閉じ方向前方の鞄類の裏面側に取付けられ、前記突起を受け入れてスライダーをロック／アンロックするロックユニットと、を備え、
前記ロックユニットは、
前記突起と係止してスライダーをロックし、前記突起との係止が外れてスライダーをアンロックするロック機構と、
前記ロック機構を動作させる駆動部と、
鞄類の外にある携帯端末からのワイヤレス信号を受信して前記駆動部の動作を制御する電子回路と、
前記駆動部及び電子回路に電源を供給する電源部と、を備えていることを特徴とするものである。
【手続補正書】
【提出日】平成29年11月1日(2017.11.1)
【手続補正１】
【補正対象書類名】特許請求の範囲
【補正対象項目名】全文
【補正方法】変更
【補正の内容】
【特許請求の範囲】
【請求項１】
鞄類の開口に設けられたファスナーのスライダーをロック／アンロックする鞄類のファスナーロック装置において、
前記スライダーの裏面側に設けられた突起と、
前記ファスナーの閉じ方向前方の鞄類の裏面側に取付けられ、前記突起を受け入れてスライダーをロック／アンロックするロックユニットと、を備え、
前記ロックユニットは、
前記突起と係止してスライダーをロックし、前記突起との係止が外れてスライダーをアンロックするロック機構と、
前記ロック機構を動作させる駆動部と、
鞄類の外にある携帯端末からのワイヤレス信号を受信して前記駆動部の動作を制御する電子回路と、
前記駆動部及び電子回路に電源を供給する電源部と、を備え、
前記電子回路は、鞄類の外にある携帯端末との間でワイヤレス交信する通信モジュールと、この通信モジュールによる交信結果に応じて動作するマイコンと、を備え、
前記マイコンは、前記通信モジュールを介して前記携帯端末から送出されたロック／アンロック信号を受信したとき、前記駆動部を動作させて前記ロック機構を動作させる、ことを特徴とする鞄類のファスナーロック装置。
【請求項２】
前記マイコンは、鞄類と前記携帯端末とが所定距離以上に離れた状態になったと判定したとき、前記駆動部を動作させて前記ロック機構によりスライダーをロックし、又は前記通信モジュールを介して前記携帯端末に警告信号を送出する、ことを特徴とする請求項１に記載の鞄類のファスナーロック装置。
【請求項３】
前記ロックユニットは、スライダーのロック状態において該スライダーに開き方向への応力が加わったことを検知するセンサと、鞄類が異常状態にあることを鞄類の外に報知する報知器とを備え、
前記マイコンは、前記センサの検知信号に基づいて異常状態にあると判定したとき前記報知器を動作させる、ことを特徴とする請求項２に記載の鞄類のファスナーロック装置。
【請求項４】
前記スライダーは、その突起に該スライダーの移動方向に直交する向きの鍵穴を備え、
前記ロック機構は、スライダーのロック時に前記駆動部により駆動されて前記鍵穴に貫通されるロックレバーと、前記ロックレバーを案内するガイドレールと、を備えていることを特徴とする請求項１乃至３のいずれかに記載の鞄類のファスナーロック装置。
【手続補正２】
【補正対象書類名】明細書
【補正対象項目名】０００８
【補正方法】変更
【補正の内容】
【０００８】
本発明は、鞄類の開口に設けられたファスナーのスライダーをロック／アンロックする鞄類のファスナーロック装置において、
前記スライダーの裏面側に設けられた突起と、
前記ファスナーの閉じ方向前方の鞄類の裏面側に取付けられ、前記突起を受け入れてスライダーをロック／アンロックするロックユニットと、を備え、
前記ロックユニットは、
前記突起と係止してスライダーをロックし、前記突起との係止が外れてスライダーをアンロックするロック機構と、
前記ロック機構を動作させる駆動部と、
鞄類の外にある携帯端末からのワイヤレス信号を受信して前記駆動部の動作を制御する電子回路と、
前記駆動部及び電子回路に電源を供給する電源部と、を備え、
前記電子回路は、鞄類の外にある携帯端末との間でワイヤレス交信する通信モジュールと、この通信モジュールによる交信結果に応じて動作するマイコンと、を備え、
前記マイコンは、前記通信モジュールを介して前記携帯端末から送出されたロック／アンロック信号を受信したとき、前記駆動部を動作させて前記ロック機構を動作させる、ことを特徴とするものである。
【手続補正３】
【補正対象書類名】明細書
【補正対象項目名】０００９
【補正方法】変更
【補正の内容】
【０００９】
本発明によれば、携帯端末を用いて遠隔操作により、ファスナーのスライダーを鞄類の内側でロック／アンロックすることができ、鞄類の外観にロック機構を露出することがなくなり、デザイン性及び利便性が良くなる。また、ロックユニットは、ファスナーの閉じ方向前方の鞄類の裏面側に取付けられるので、後付け容易であり、かつロック解除用隠しボタンは必要に応じて鞄類の外観から容易に視認し難いところに設けることが可能となる。